(57)【特許請求の範囲】
【請求項１】
内容物の充填空間につながる口部を有する本体部分と、この本体部分の口部に設けられ、詰替えるべき容器の口部に装着された受け部材にあてがって前記充填空間内の内容物を移し替える注出栓とを備えた詰替え容器であって、
前記注出栓が、前記充填空間につながる貫通開口を有し、前記本体部分の口部に係合保持されるベースと、このベースの貫通開口において起立するとともに前記充填空間内の内容物を内部通路を通して注出する筒体からなり、
前記ベースと前記筒体との相互間に、前記ベースにつながる外縁部及び前記筒体の基端につながる内縁部を有し、該筒体の押圧による弾性的な反転にて前記口部に保持された封止部材を該筒体の基端で押し込んで該封止部材を除去する環状周壁を設けたことを特徴とする詰替え容器。
【請求項２】
前記筒体を前記ベースとともに内側に収める収納空間を有し、前記ベースに固定保持されるオーバーキャップを有する請求項１記載の詰替え容器。
【請求項３】
前記筒体を取り囲むとともに該筒体よりも高い背丈を有し、前記ベースの天面にて起立する保護カバーを備え、前記保護カバーは、少なくとも一本のスリットを起点とする前記ベースからの引きちぎりを可能とする弱化部を有する、請求項１記載の詰替え容器。
【請求項４】
前記筒体は、前記環状周壁の交互反転を阻止するストッパーを備え、
前記ストッパーが、前記筒体に一体連結するフランジ部と、このフランジ部から前記ベースの天面に至るまでの間に配置され、該筒体の外側壁に嵌合可能なスペーサと、筒体の外周壁に設けられ該スペーサに離脱可能に連係するリブからなる、請求項１記載の詰替え容器。
【請求項５】
前記筒体は、前記封止部材の縁部近傍域に偏位して位置し、該筒体の往動にて該封止部材を局所的に押し込む後端押し込み部を有する、請求項１〜４の何れかに記載の詰替え容器。
【請求項６】
前記筒体は、前記本体部分の注出姿勢でもって前記受け部材まで達するか若しくは該受け部材を通り抜けて前記詰替えるべき容器の内側に位置する先端部を有する、請求項１〜５の何れかに記載の詰替え容器。
【請求項７】
前記ベースに、前記筒体を隙間を隔てて取り囲み該筒体の外周壁との相互間にて環状空間を形成するとともに、前記本体部分の注出姿勢において前記受け部材の底壁の手前で終端する先端をもった外筒を設けた、請求項１〜６の何れかに記載の詰替え容器。
【請求項８】
前記筒体は、その後端部の周壁に、空気置換用の少なくとも一つの切欠部を有する、請求項１〜７の何れかに記載の詰替え容器。
【発明の詳細な説明】
【技術分野】
【０００１】
本発明は、詰替え容器に関するものであり、内容物の漏れ出しを起したり、手や衣服を汚すことなしに効率的に内容物を詰替えようとするものである。
【背景技術】
【０００２】
シャンプーやリンス、洗剤、消臭除菌剤あるいは化粧品等を入れる容器としては、内容物の適量取り出しを可能とするためにポンプの如き吐出器を備えられたものが数多く上市される傾向にあり、内容物を使いきったのちは、別途に市販されている詰替え容器から新たな内容物を移し替えて元の容器（以下、継続使用容器という。）を再利用するのが普通になってきており、これによって資源の有効活用が図られている（例えば、特許文献１参照）。
【０００３】
ところで、詰替え容器はもともと、パウチタイプの容器や薄肉のブロー成形品等腰がない（剛性が低い）容器が適用されており内容物の詰替えが行い難く、例えば特許文献１のように２つの容器をねじを介して連結したのち内容物の移し替えを行うなど、これまでに種々の提案がなされてきてはいるものの、従来の詰替え容器は、詰替え作業に手間がかかることからその改善が求められているのが現状であった。
【先行技術文献】
【特許文献】
【０００４】
【特許文献１】特開２０００−１５９２４９号公報
【発明の概要】
【発明が解決しようとする課題】
【０００５】
本発明の課題は、内容物の漏れ出し等の不具合を起すことなしに効率よく内容物を移し替えることができる新規な詰替え容器を提案するところにある。
【課題を解決するための手段】
【０００６】
本発明は、内容物の充填空間につながる口部を有する本体部分と、この本体部分の口部に設けられ、詰替えるべき容器の口部に装着された受け部材にあてがって前記充填空間内の内容物を移し替える注出栓とを備えた詰替え容器であって、
前記注出栓が、前記充填空間につながる貫通開口を有し、前記本体部分の口部に係合保持されるベースと、このベースの貫通開口において起立するとともに前記充填空間内の内容物を内部通路を通して注出する筒体からなり、
前記ベースと前記筒体との相互間に、前記ベースにつながる外縁部及び前記筒体の基端につながる内縁部を有し、該筒体の押圧による弾性的な反転にて前記口部において保持された封止部材を該筒体の基端で押し込んで該封止部材を除去する環状周壁を設けたことを特徴とする詰替え容器である。
【０００７】
また、上記の詰替え容器は、筒体を前記ベースとともに内側に収める収納空間を有し、前記ベースに固定保持されるオーバーキャップを備えておくことができる。
【０００８】
また、上記の詰替え容器は、オーバーキャップに替えて、筒体を取り囲むとともに該筒体よりも高い背丈を有し、前記ベースの天面にて起立する保護カバーを設けておくことが可能であり、この保護カバーは、少なくとも一本のスリットを起点とする前記ベースからの引きちぎりを可能とする弱化部を形成しておくのが望ましい。
【０００９】
筒体には、前記環状周壁の交互反転を阻止するストッパーを設けておくのが好ましく、具体的には、筒体に一体連結するフランジ部と、このフランジ部から前記ベースの天面に至るまでの間に配置され、筒体の外側壁に嵌合可能なスペーサと、筒体の外側壁に設けられ該スペーサに離脱可能に連係するリブにて構成されたものが適用できる。
【００１０】
また、前記筒体には、前記封止部材の縁部近傍域に偏位して位置し、該筒体の往動にて該封止部材を局所的に押し込む後端押し込み部を設けておくのが好ましい。
【００１１】
さらに、前記筒体には、前記本体部分の注出姿勢でもって前記受け部材まで達するか若しくは該受け部材を通り抜けて先端部が詰替えるべき容器の内側に位置する長さに設定しておくのが望ましい。
【００１２】
前記ベースに、前記筒体を隙間を隔てて取り囲み該筒体の外周壁との相互間にて環状空間を形成し、かつ、前記本体部分の注出姿勢において前記受け部材の底壁の手前で終端する先端をもった外筒を設けることが可能であり、さらに前記筒体には、その後端部の周壁に、空気置換用の少なくとも一つの切欠部を設けることができる。
【発明の効果】
【００１３】
筒体を、環状周壁を介してベースに弾性的に反転可能に支持しておくことにより、該筒体を押し込むだけで封止部材除去して内容物の移し替えを開始することが可能となり、内容物の手指への付着を伴うことなしに簡単な操作のもとで詰替えを行うことができる。
【００１４】
筒体を収納するオーバーキャップあるいは保護カバーを設けておくことで、筒体の不用意な押し込みを回避し得る。
【００１５】
また、ストッパーとして、筒体に一体連結するフランジ部を設け、このフランジ部とベースとの相互間に筒体の外側壁にて嵌合可能なスペーサを配置することにより、該筒体の不用意な押し込みを回避することが可能となる。スペーサについては、筒体の外周壁にリブ（縦リブ）を形成し該リブをスペーサに離脱可能に連係させることで確実な位置決めが行える。
【００１６】
筒体が封止部材に当接する突端（後端）に、該封止部材の縁部近傍域に偏位して位置する押し込み部を設けることにより、該筒体を押し込んだとき該封止部材を簡単に傾けるかあるいは突き破ることが可能となりその除去が容易となる。
【００１７】
本体部分の注出姿勢で筒体の先端部が継続使用容器に設けた受け部材まで達するか、あるいは該受け部材を通り抜ける長さに設定しておくことで内容物の移し替えに際して該内容物のバブリング現象による飛び散りを抑制することができる。
【００１８】
筒体を取り囲む外筒を設けることによって内容物の飛び散りを確実に防止し得るとともに継続使用容器の受け部材に注出栓を連係させる際にガイドとして機能するため、内容物の詰替え作業をスムーズに行なうことができる。
【００１９】
筒体の後端部の周壁に切欠部を設けることにより、封止部材が除去（とくに取り外されるような構造のもの）され、どの部位に存在しようとも切欠部を通して確実に空気置換が行われるため内容物のスムーズな移し替えが可能となる。
【図面の簡単な説明】
【００２０】
【図１】本発明にしたがう詰替え容器の実施の形態を示した図である。
【図２】図１に示した詰替え容器と継続使用容器を示した図である。
【図３】受け部材の平面を示した図である。
【図４】図１に示した詰替え容器を用いて継続使用容器に内容物を移し替える状況の説明図である。
【図５】本発明にしたがう詰替え容器の他の実施の形態を示した図である。
【図６】（ａ）（ｂ）は本発明にしたがう詰替え容器の他の実施の形態を示した図であり、（ａ）は注出栓の外観斜視図、（ｂ）は注出栓の断面を示した図である。
【図７】（ａ）（ｂ）は本発明にしたがう詰替え容器のさらに他の実施の形態を示した図であり、（ａ）は注出栓の平面を示した図、（ｂ）は注出栓の断面を示した図である。
【図８】本発明にしたがう詰替え容器に好適なストッパーの構成部材（スペーサ）の外観斜視図である。
【図９】本発明にしたがう詰替え容器のさらに他の実施の形態を示した図である。
【図１０】図９に示した詰替え容器を用いて継続使用容器に内容物を移し替える状況を示した図である。
【図１１】図９に示した詰替え容器を用いて継続使用容器に内容物を移し替える状況を示した図である。
【発明を実施するための形態】
【００２１】
以下、図面を参照して本発明をより具体的に説明する。
図１は、本発明にしたがう詰替え容器の実施の形態を模式的に示した図である。
【００２２】
図における１は、詰替えるべき内容物を充填した容器である。容器１はその本体部分の内側に充填空間Ｍを有しており、頂部には、該充填空間Ｍにつながる口部１ａが成形されている。
【００２３】
この容器１は、内容物の充填量が減るにしたがい本体部分そのものの減容を可能とする袋状あるいは薄肉タイプのブローボトルやパウチ等が適用されている。
【００２４】
２は、容器１の口部１ａに設けられ、詰替えるべき容器の口部にあてがって充填空間Ｍ内の内容物を排出する注出栓である。この注出栓２は、本体部分の口部１ａにねじ止め（アンダーカット係合でもよい。）することによって着脱自在に係合するベース２ａと、このベース２ａの天面において起立状態で設けられた筒体２ｂから構成されている。
【００２５】
上記ベース２ａは、本体部分の口部１ａの周りを取り囲む外周壁２ａ１と、この外周壁２ａ１の上端に一体連結する天面壁２ａ２と、外周壁２ａ１及び天面壁２ａ２に一体連結し容器１の口部１ａの内壁面に当接する内周壁２ａ３から形成されており、該天面壁２ａ２には、充填空間Ｍにつながる貫通開口Ｈが設けられている。
【００２６】
また、筒体２ｂの基端（後端）２ｂ１は、一方から他方に向けて傾斜した傾斜端となっており、最も突き出た部位が後述する封止部材の縁部近傍域に偏位して位置し、該筒体２ｂの押し込み移動により該封止部材を局所的に押し込む押し込み部になっている。
【００２７】
３は、ベース２ａと筒体２ｂとの間に配され、それらを相互に連結する環状周壁（リング状の薄板）である。この環状周壁３は、ベース２ａの天面壁２ａ２に形成された貫通開口Ｈの縁部において一体的につながる外縁部３ａ（この部位に薄肉部を形成してヒンジを設けることもできる。）と、筒体２ｂの基端に一体的につながる内縁部３ｂを有しており、該筒体２ｂの軸心Ｌに沿う押圧によって弾性的な反転が可能になっている。
【００２８】
外縁部３ａ、内縁部３ｂには、筒体２ｂを周回するヒンジ（細溝を形成して薄肉化した部位）を形成して筒体２ｂの弾性的な反転を容易にしている。
【００２９】
４は、容器１の口部１ａに嵌合保持され、充填空間Ｍを密封状態に保持する封止部材である。この封止部材４は、着脱可能な栓体を例として示してあり、ベース２ａの内周壁２ａ３から該口部１ａにわたって嵌合するフランジ付きの壁部４ａと、この壁部４ａの上端部に一体連結する板状の閉塞壁４ｂから構成されている。
【００３０】
５は、オーバーキャップである。このオーバーキャップ５は、筒体２ｂをベース２ａとともに内側に収める収納空間ｍを有するものであり、ベース２ａの外側において嵌合、固定（アンダーカット係合やねじ止めでもよい。）され、これにより筒体２ｂの不用意な押し込みを防止する。
【００３１】
図２、図３は、本発明にしたがう詰替え容器の内容物を移し替えるための継続使用容器を詰替え容器とともに示した図であり、図４は、継続使用容器の受け部材の平面を示した図である。図２〜４における符号６は、継続使用容器、７は、継続使用容器６の口部６ａに設けられた受け部材である。
【００３２】
受け部材７は、継続使用容器６の口部６ａにねじ止めあるいはアンダーカット係合可能な環状体７ａと、この環状体７ａの上端に起立状態で一体連結する環状周壁７ｂと、継続使用容器６の口部６ａの内側において区画凹所を形成するとともにその縁部を全周にわたって環状体７ａの上端から一体連結したカップ部７ｃ（周壁７ｃ１と、この周壁７ｃ１の下端に一体的につながる底壁７ｃ２にて形成することができる。）と、このカップ部７ｃの底部中央において起立し縦リブｒの突端を筒体２ｂの当接部として筒体２ｂを押し込む基台７ｄと、この基台７ｄの上端部において立ち上がる先端先細り形状をなす樋状のガイド片７ｅから構成されている。
【００３３】
受け部材７の環状周壁７ｂの外周面にはねじ部が形成されており、図示しないオーバーキャップをねじ止めすることによって継続使用容器６を密封状態に保持することが可能となっている（アンダーカット係合でもよい。）。また、カップ部７ｃの底部（底壁７ｃ２）は、一端から他端に向けて傾いており、該底部が最も低くなる部位（空気置換口ｋ）から基台７ｄの内側にかけて容器内に通じる貫通孔７ｃ３が形成されている。
【００３４】
詰替え容器内の内容物を継続使用容器６に移し替えるには、図２に示すように、筒体２ｂをガイド片７ｅに沿って差し込んでいき、該筒体２ｂの先端を、基台７ｄの突端部（当接部）に突き当てるとともに、さらに、該筒体２ｂを押し込む。そうすると、環状周壁３が反転して該筒体２ｂが容器１の充填空間Ｍに向けて移動することとなり、このとき、図５に示すように、筒体２ｂの基端２ｂ１で封止部材４が押し込まれベース２ａの内周壁２ａ３との嵌合が解除されて、筒体２ｂの内部通路を通って内容物が継続使用容器６へと流れ出る。
【００３５】
本発明にしたがう詰替え容器は、上記のように、筒体２ｂに触れることなしに内容物の詰替えを行うことが可能であり、手指あるいは衣服に内容物が付着することがない。
【００３６】
封止部材４は、図５に示すように、筒体２ｂの基端にアルミ製のシートを貼着してそれを突き破る構成のものを適用してもよい。かかるシートを適用する場合には、筒体２ｂを容器１の充填空間Ｍに向けて移動させる際に該筒体２ｂの基端で該シートを破断させることができるように該基端は、フラットな状態にしておく。
【００３７】
基台７ｄはこの例では、空気置換口ｋ側で開放する切欠部を設けてＣ型形状としたものを用いた場合を示した（図３参照）が、筒状のものを適用することも可能であり、この点は限定されない。基台７ｄとして筒状のものを適用する場合には、基台７ｄの内側と、カップ部７ｃを形成する底壁の最も低くなる部位に貫通孔７ｃ３を設ければよく、これにより、詰替え容器内の内容物を全て継続使用容器６へ移行させることが可能となる。
【００３８】
ベース２ａ、筒体２ｂ、環状周壁３は全て一体連結した状態で成形することが可能であり、これにより注出栓２を一部材（一パーツ）で構成でき、注出栓の構造が簡素化できるとともに該注出栓２の効率的な製造が行える。
【００３９】
容器１は、内容物の充填量が少なくなるに伴って本体部分の全体（口頚部を除く。）が減容（縮減）できるように薄肉とするのがよいが、例えば、口頚部の根元から肩部（胴部の上端）に至るまでの領域の肉厚を、他の領域（胴部及び底部）の肉厚よりも若干厚くしておいてもよく、これによれば減容した胴体部分を肩部において形成された凹所に収めることができるので、容器の廃棄に際してコンパクトにまとめ得る。また、かかる構造を採用することで、とくに、内容物の充填前における容器のスタッキング性の改善に寄与することとなり、コンパクトにまとめておくことができる利点がある。
【００４０】
筒体２ｂは、円形状を有するものを適用することができる他、楕円形状、矩形断面をなすもの等が適用可能でありその形状は、充填する内容物等に応じて種々変更することができる。
【００４１】
図６（ａ）（ｂ）は、本発明にしたがう他の実施の形態を示した図である。図における８は、筒体２ｂを取り囲むとともに該筒体２ｂよりも若干高い背丈Ｗを有する保護カバーである。この保護カバー８は、ベース２ａの天面壁２ａ２に一体的に設けられた周壁８ａから形成されていて、その下部域には、該保護カバー８を周回する弱化部（薄肉部を形成する細溝）８ｂと、この弱化部８ｂにつながり周壁８ａの長手方向に延びる少なくとも一本のスリット８ｃがそれぞれ形成されていて、このスリット８ｃを起点として弱化部８ｂに沿って周壁８ａを引きちぎることによって保護カバー８を取り外すことができる。かかる保護カバー８は、筒体２ａの不用意な押し込みを防止するとともに不正な開封を阻止するのに役立つ。
【００４２】
図７（ａ）（ｂ）は、本発明にしたがう他の実施の形態を示した図である。図における９は、環状周壁３の反転による筒体２ｂの移動を阻止するストッパーである。このストッパー９は、筒体２ｂに一体連結するフランジ部９ａと、このフランジ部９ａからベース２ａの天面壁２ａ２に至るまでの間に配置されるスペーサ９ｂと、筒体２ｂの外周壁に設けられスペーサ９ｂに連係するリブ（アンダーカット係合を可能とする縦リブ）９ｃとから構成されている。スペーサ９ｂはＣ型形状をなすものを適用することが可能であり、筒体２ｂに弾性的な変形を伴って着脱できるようになっている。
【００４３】
かかるストッパー９を装着しておくことにより、詰替え前における筒体２ｂの不用意な押し込みを確実に回避することができ、この場合、オーバーキャップ５あるいは保護カバー８を省略できる利点がある。なお、ストッパー９は、筒体２ｂの不用意な押し込みを回避することができる構造のものであれば図８に示すようなものでもよく、図示したものには限られない。
【００４４】
図８のストッパー９は、スペーサ９ｂの内壁面にアーム９ｂ１を一体的に設け、このアーム９ｂ１の先端に筒体２ｂの外側壁に弾性変形によって嵌合することができるＣ型形状をなす係止部材９ｂ２を配置した構造のものである。このようなストッパー９は、上記のようなリブ９ｃが不要となり筒体２ｂの形状がよりシンプルとなる。
【００４５】
図９は、本発明にしたがう詰替え容器のさらに他の実施の形態を示した図である。この例は、筒体２ｂが受け部材７のガイド片７ｅの内側に入り込むことができる径で、なおかつ、容器１が注出姿勢（反転姿勢）にあるときその先端部２ｂ１が受け部材７まで達しているか、あるいは該受け部材７を通り抜けて継続使用容器６の内側に位置する長さに設定されたものであり、図における１０は、ベース２ａの天面壁２ａ２に一体的に設けられた外筒である。外筒１０は、筒体２ｂを隙間を隔てて取り囲み該筒体２ｂの外周壁との相互間にて環状空間ｎを形成するようになっており、本体部分の注出姿勢において受け部材７の底壁７ｃ２の手前で終端する先端部１０ａを有している。また、１１は、筒体２ｂの後端部の周壁に設けられた切欠部、さらに、１２は、筒体２ｂの先端部を覆い隠す凹部を有し、外筒１０の外側壁にてアンダーカットあるいはねじにより着脱可能に連係するオーバーキャップである。
【００４６】
切欠部１１は、筒体２ｂの基端２ｂ１に開口端を有するもの、あるいは窓孔状のものを適用することが可能であり、切欠部の長さｆ、幅ｇは適宜変更することができるようになっている（長さｆ、幅ｇの異なる切欠部を設けてもよい。図１０参照）。また、オーバーキャップ１２は、筒体２ｂの先端が当接して該筒体２ｂが押し込まれないようにその相互間に隙間ｉを形成する天面壁１２ａと、この天面壁１２ａの縁部に一体連結し該筒体２ｂを取り囲む周壁１２ｂと、この周壁１２ｂの下端に一体連結し外筒１０の先端に当接して位置決めするフランジ部１２ｃと、このフランジ部１２ｃの縁部に一体連結して外筒1０の先端部外側壁に連係する環状体１２ｄから形成されている。
【００４７】
上記の構成になる詰替え容器は、筒体２ｂの先端部が受け部材７を通り向けて継続使用容器６の内側に位置しているため、内容物の移し替えに際してバブリングが起こり難く、内容物の飛散が抑えられるとともに、継続使用容器６の受け部材７に注出栓２をあてがう際には外筒１０がガイドとして機能するため詰替え作業を簡便に行ない得る。
【００４８】
とくに切欠部１１を形成したものにあっては、空気置換が良好となり内容物の流れがスムーズとなり効率的な詰替えが行なえる。
【００４９】
上掲図９に示した詰替え容器につき、その容器内に充填された内容物を継続使用容器６に移し替えるには、図1０に示すように、筒体２ｂの外周壁と外筒１０との相互間に形成された環状空間ｎにガイド片７ｅを入れ込んでいき、該ガイド片７ｅの先端を、環状周壁３に突き当てるとともにさらに、該筒体２ｂを押し込む。そうすると、図１１に示すように、環状周壁３が反転して該筒体２ｂが容器１の充填空間Ｍに向けて移動することとなり、このとき、筒体２ｂの基端２ｂ１で封止部材４が押し上げられベース２ａの内周壁２ａ３との嵌合が解除されて、筒体２ｂの内部通路を通って内容物が継続使用容器６へと流れ出ることになる。
【００５０】
上記の構成からなる詰替え容器は、筒体２ｂを細径にして受け部材７の通り抜けを可能とした長さに設定して内容物のバブリング現象を抑制する構造としたものであり、ガイド片７ｅの先端で環状周壁３を直接押圧して反転させるものとして示したが、筒体２ｂを直接押圧して該環状周壁３を反転させることができるものであれば他の構造を適用することも可能であり、この点についてはとくに限定されない。
【００５１】
また、筒体２ｂの後端部における周壁と環状周壁３及びベース２の内周壁２ａ３によって囲まれる空間領域ｎ１（図１０、図１１参照）には、内容物が溜まり易いが、環状周壁３に至るまでの長さをもった切欠部１１を設けておくことにより内容物の溜まりを回避することができる。
【産業上の利用可能性】
【００５２】
内容物のたれ落ちや手、衣服への付着を回避することが可能で、かつ、簡単な操作のもとで内容物の移し替えを行い得る詰替え容器が提供できる。
【符号の説明】
【００５３】
１      容器
１ａ    口部
２      注出栓
２ａ    ベース
２ｂ    筒体
３      環状周壁
３ａ    外縁部
３ｂ    内縁部
４      封止部材
４ａ    壁部
４ｂ    閉塞壁
５      オーバーキャップ
６      継続使用容器
６ａ    口部
７      受け部材
７ａ    環状体
７ｂ    環状周壁
７ｃ    カップ部
７ｄ    基台
７ｅ    押圧・ガイド片
８      保護カバー
８ａ    周壁
８ｂ    弱化部
８ｃ    スリット
９      ストッパー
９ａ    フランジ部
９ｂ    スペーサ
９ｃ    リブ
１０    外筒
１０ａ  先端部
１１    切欠部
１２    オーバーキャップ
１２ａ  天面壁
１２ｂ  周壁
１２ｃ  フランジ部
１２ｄ  環状体
Ｍ      充填空間
ｍ      収納空間
ｒ      リブ（縦リブ）
ｎ      環状空間
ｉ      隙間
【図１】
0005448978.tif 000002
【図２】
0005448978.tif 000003
【図３】
0005448978.tif 000004
【図４】
0005448978.tif 000005
【図５】
0005448978.tif 000006
【図６】
0005448978.tif 000007
【図７】
0005448978.tif 000008
【図８】
0005448978.tif 000009
【図９】
0005448978.tif 000010
【図１０】
0005448978.tif 000011
【図１１】
0005448978.tif 000012